(57)【要約】【課題】複数種類の原料土を原料土ホッパに投入する際に予め混合させることなくそれぞれを直接ホッパに投入することができるようにした、改良された原料土ホッパを備えた土質改良機を提供する。【解決手段】原料土ホッパが、投入開口及び排出開口を有したホッパ本体と、ホッパ本体の下方に配設され排出された原料土を混合機に送るベルト状の搬送手段とを備え、ホッパ本体が、搬送手段の原料土搬送方向に向けて延び投入開口及び排出開口を通してホッパ本体内を少なくとも２個に仕切る仕切板を備える。【選択図】図２
2005155188.tif 000002
【特許請求の範囲】
【請求項１】
原料土ホッパと、改良材ホッパと、それぞれに投入された原料土及び土質改良材を混合させる混合機とを備え、
該原料土ホッパが、
投入開口及び排出開口を有したホッパ本体と、該排出開口の下方に配設され排出された原料土を該混合機に送るベルト状の搬送手段と、を備え、
該ホッパ本体が、該搬送手段の原料土搬送方向に向けて延び該投入開口及び排出開口を通して該ホッパ本体内を少なくとも２個に仕切る仕切板を備えている、ことを特徴とする土質改良機。
【請求項２】
該搬送手段が、仕切られた排出開口それぞれに配設されている、請求項１記載の土質改良機。
【請求項３】
仕切られた排出開口それぞれに配設された搬送手段が、それぞれの搬送速度を調整自在に備えられている、請求項２記載の土質改良機。
【発明の詳細な説明】
【技術分野】
【０００１】
本発明は、土質改良機、さらに詳しくは、土質改良機に備えられる原料土の投入ホッパに関する。
【背景技術】
【０００２】
埋め立て作業、一般土木作業などにおいて、例えば軟弱な土質を固化し改良するために、土質改良材としてのセメント、石灰などの固化材と原料土との混合作業が、周知の自走式の土質改良機（例えば、特許文献1参照）によって機械的に効率よく遂行される。
【０００３】
土質改良機は、原料土を投入するための原料土ホッパと、土質改良材を投入するための改良材ホッパと、投入された原料土及び土質改良材を攪拌混合させる混合機とを備えている。
【０００４】
典型的な土質改良作業における原料土ホッパへの原料土の投入は、周知の掘削積込機械である油圧ショベルのバケットを用いて行われ、改良材ホッパへの土質改良材の投入は、改良材の封入されたフレコンバッグのような柔軟な袋体を機体に備えたクレーンを用いてホッパ内に吊り降ろし開封することにより行われる。
【０００５】
【特許文献１】特開平９−１９５２６５号公報
【発明の開示】
【発明が解決しようとする課題】
【０００６】
しかしながら上述したとおりの形態の従来の土質改良機には、次のとおりの改良の望まれている問題がある。すなわち、土質改良の対象となる原料土は多種多様で、特に原料土が２種類以上ある場合には、これらを原料土ホッパに投入する前に予め所定の比率に混合する必要がある。したがって、土質改良機によって作業を効率よく遂行する上での障害になっている。
【０００７】
本発明は上記事実に鑑みてなされたもので、その技術的課題は、複数種類の原料土を原料土ホッパに投入する際に予め混合させることなくそれぞれを直接ホッパに投入することができるようにした、改良された原料土ホッパを備えた土質改良機を提供することである。
【課題を解決するための手段】
【０００８】
本発明によれば上記技術的課題を解決する土質改良機として、原料土ホッパと、改良材ホッパと、それぞれに投入された原料土及び土質改良材を混合させる混合機とを備え、
該原料土ホッパが、投入開口及び排出開口を有したホッパ本体と、該排出開口の下方に配設され排出された原料土を該混合機に送るベルト状の搬送手段と、を備え、
該ホッパ本体が、該搬送手段の原料土搬送方向に向けて延び該投入開口及び排出開口を通して該ホッパ本体内を少なくとも２個に仕切る仕切板を備えている、ことを特徴とする土質改良機が提供される。
【発明の効果】
【０００９】
本発明に従って構成された土質改良機は、原料土ホッパ内を少なくとも２個に仕切る仕切板を備えている。したがって、複数種類の原料土を原料土ホッパに投入する際に予め混合させることなく、それぞれを仕切られた原料土ホッパに直接投入することができる。
【発明を実施するための最良の形態】
【００１０】
以下、本発明に従って構成された土質改良機について、好適実施形態を図示している添付図面を参照して、さらに詳細に説明する。
【００１１】
図１を参照して説明すると、全体を番号２で示す土質改良機は、無限軌道式の走行体４と、走行体４上に取り付けられた機体フレーム６と、機体フレーム６上の中央に取り付けられた混合機８と、機体フレーム６の一端（図１の左端）側に取り付けられた原料土を投入するための原料土ホッパ１２と、混合機８の上に取り付けられた土質改良材を投入するための改良材ホッパ１０とを備えている。原料土ホッパ１２に投入された原料土及び改良材ホッパ１０に投入された改良材は、混合機８によって攪拌混合される。
【００１２】
機体フレーム６の他端（図１の右端）側には、混合された原料土及び土質改良材を排出するための排出コンベヤ１４が備えられている。土質改良機２にはまた、エンジン、油圧装置などが収容された動力室１６、及び改良材の封入された袋体であるフレコンバッグ１８を吊り上げ改良材ホッパ１０内に降ろすためのクレーン２０が備えられている。図１においてクレーン２０は、フレコンバッグ１８を改良材ホッパ１０の上方に吊り下げた使用状態と機体に格納した状態の二つの位置で示されている。
【００１３】
土質改良機２において、改良材ホッパ１０、混合機８、排出コンベヤ１４等は、本発明の新規特徴を構成するものではなく、周知のものでよい。したがってその説明は省略する。
【００１４】
原料土ホッパ１２について図１とともに図２〜図５を参照して説明する。原料土ホッパ１２は、上部に投入開口２０を下部に排出開口２２を有したホッパ本体２４と、排出開口２２の下方に配設され排出開口２２から排出された原料土を混合機８（図１）に送るベルト状の搬送手段２６とを備えている。
【００１５】
ホッパ本体２４を上方から見た平面図である図２を主として参照して説明する。投入開口２０は略正方形に形成され、排出開口２２は矢印Ｘで示す原料土搬送方向（図２の左から右の方向）の大きさを投入開口２０と同じに、幅方向の大きさを狭くして長方形に形成されている。すなわちホッパ本体２４は、投入開口２０から排出開口２４に向けて、鉛直に延びる前壁２４ａ及び後壁２４ｂと、斜めに延びる左傾斜壁２４ｃ及び右傾斜壁２４ｄとを備えて漏斗状に形成されている。ホッパ本体２４は、骨組み構造物であるホッパフレーム２５によって支持されている。
【００１６】
ホッパ本体２４は、投入開口２０及び排出開口２２を通してホッパ本体２４内を２個に仕切る原料土搬送方向Ｘに向けて延びた矩形状の仕切板２８を備えている。仕切板２８は、原料土搬送方向Ｘに直交する幅方向（図２の上下方向）において投入開口２０及び排出開口２２の略中央に位置づけられている。
【００１７】
仕切板２８の前端及び後端はそれぞれ、前壁２４ａ及び後壁２４ｂに備えられ、投入開口２０及び排出開口２２を通して上下に延びた一対の帯板２４ｅ、２４ｅによって形成された溝に、着脱自在に挿入され取付けられている。
【００１８】
すなわち、投入開口２０は投入開口２０ａ及び２０ｂに、また排出開口２２は排出開口２２ａ及び２２ｂに、それぞれ仕切られている（図４）。
【００１９】
ホッパフレーム２５の下端面には、土質改良機２の機体フレーム６にピンを介して取付けるためのブラケット２５ａが前後左右の計4個所に備えられている。
【００２０】
搬送手段２６は搬送コンベヤ２７を備えている。搬送コンベヤ２７は、ホッパ本体２４の前端側（図２の右端側）に配設されたドライブ軸３０の軸線３０ａと後端側（図２の左端側）にこれと平行に配設されたアイドラ軸３２の軸線３２ａに捲回されている。本実施例において搬送コンベヤ２７は、排出開口２２ａに配設された搬送コンベヤ２７ａ、及び排出開口２２ｂに配設された搬送コンベヤ２７ａと実質上同一に形成された搬送コンベヤ２７ｂの、計２個を備えている。
【００２１】
搬送コンベヤ２７は、周知の、チェーンと搬送板を組み合わせたバーフィーダ、あるいはベルトコンベヤなどでよい。
【００２２】
搬送コンベヤ２７ａにはドライブユニット３４ａが、搬送コンベヤ２７ｂにはドライブユニット３４ｂが、それぞれチェーンあるいはベルトによって連結されている。ドライブユニット３４ａ及び３４ｂはそれぞれ、油圧モータ３５を備え、油圧モータ３５への作動油の油量を土質改良機２に備えられた操縦装置３（図１）の操作によって制御することにより、それぞれの搬送速度が自在に調整される。
【００２３】
上述したとおりの形態の土質改良機２の作用について説明する。
【００２４】
本発明に従って構成された土質改良機２によれば、原料土ホッパ１２内が仕切板２８によって仕切られている。したがって、複数種類の原料土を原料土ホッパ１２に投入する際に予め混合することなく、それぞれを仕切られた原料土ホッパ１２に直接投入することができる。したがって、作業をより効率よく遂行することができる。
【００２５】
本発明に従って構成された土質改良機２の原料土ホッパ１２によれば、ホッパ本体２４が少なくとも２個に仕切られ、それぞれの排出開口２２ａ、２２ｂに搬送手段２７ａ、２７ｂが備えられ、それぞれの搬送速度が調整自在であるので、原料土ホッパ１２に投入され混合機８に送られる複数種の原料土の混合比率を任意に適宜に変えることができる。
【００２６】
以上本発明を実施の形態に基づいて詳細に説明したが、本発明は上記の実施例に限定されるものではなく、例えば下記のように、本発明の範囲内においてさまざまな変形あるいは修正ができるものである。
【００２７】
本実施例においては、仕切板２８は１個備えられているが、２個以上であってもよい。また、仕切板２８の設置位置は、投入開口２０及び排出開口２２を等分にするように配設されたが、その位置は必要に応じて任意に設定すればよい。
【００２８】
本実施例においては、仕切板２８はホッパ本体２４に挿脱を自在に取付けられているが、ホッパ本体２４に溶接などにより接合固定してもよい。
【図面の簡単な説明】
【００２９】
【図１】本発明に従って構成された土質改良機の側面図。
【図２】図１の土質改良機の原料土ホッパをＡ−Ａ矢印方向に見た拡大平面図。
【図３】図２のＢ−Ｂ矢印方向に見た側面図。
【図４】図３のＣ−Ｃ矢印方向に見て一部断面図示した後面図。
【図５】図２にＤで示した仕切板取付け部の拡大図。
【符号の説明】
【００３０】
２：土質改良機
８：混合機
１０：改良材ホッパ
１２：原料土ホッパ
２０：投入開口
２４：排出開口
２６：搬送手段
２８：仕切板
Ｘ：原料土搬送方向
【図１】
2005155188.tif 000003
【図２】
2005155188.tif 000004
【図３】
2005155188.tif 000005
【図４】
2005155188.tif 000006
【図５】
2005155188.tif 000007